(57)【要約】【課題】  大型化を来すことなく、複数個の針やイカヅノ等の疑似餌を整列・保持でき、且つ、釣糸の緩みに起因した絡みを防止することができる釣用仕掛け巻取器を提供すること。【解決手段】  巻取器本体と、上記巻取器本体の一方の面に設けられ釣用仕掛けの幹糸が巻き取られる巻取凹部を有する複数個の幹糸巻取部と、上記巻取器本体の他方の面に設けられ上記釣用仕掛けの釣針が係止される釣針係止部と、を具備することにより、大型化を来すことなく、複数個の針やイカヅノ等の疑似餌を整列・保持でき、且つ、釣糸の緩みに起因した絡みを防止したもの。【選択図】  図１
2020089346.tif 000002
【特許請求の範囲】
【請求項１】
巻取器本体と、
上記巻取器本体の一方の面に設けられ釣用仕掛けの幹糸が巻き取られる巻取凹部を有する複数個の幹糸巻取部と、
上記巻取器本体の他方の面に設けられ上記釣用仕掛けの釣針が係止される釣針係止部と、
を具備したことを特徴とする釣用仕掛け巻取器。
【請求項２】
請求項１記載の釣用仕掛け巻取器において、
上記巻取凹部には巻き取った幹糸を保持する保持ブラシが設置されていることを特徴とする釣用仕掛け巻取器。
【請求項３】
請求項２記載の釣用仕掛け巻取器において、
上記保持ブラシは上記巻取凹部の深さ方向所定領域に設けられていることを特徴とする釣用仕掛け巻取器。
【請求項４】
請求項２又は請求項３記載の釣用仕掛け巻取器において、
上記保持ブラシは上記巻取凹部の深さ方向全領域に設けられていることを特徴とする釣用仕掛け巻取器。
【請求項５】
請求項２〜請求項４の何れかに記載の釣用仕掛け巻取器において、
上記保持ブラシは上記巻取凹部の両内側面側から中央に向けて張り出されていることを特徴とする釣用仕掛け巻取器。
【請求項６】
請求項５記載の釣用仕掛け巻取器において、
上記保持ブラシは上記巻取凹部の両内側面側から中央に向けて真っ直ぐに張り出されていることを特徴とする釣用仕掛け巻取器。
【請求項７】
請求項２〜請求項６の何れかに記載の釣用仕掛け巻取器において、
上記保持ブラシは周方向等間隔の複数箇所に設けられていることを特徴とする釣用仕掛け巻取器。
【請求項８】
請求項５〜請求項７の何れかに記載の釣用仕掛け巻取器において、
上記巻取凹部の一方の内側面の上記保持ブラシは上記巻取凹部の他方の内側面の上記保持ブラシに対して周方向にオフセットされて設けられていることを特徴とする釣用仕掛け巻取器。
【請求項９】
請求項１〜請求項８の何れかに記載の釣用仕掛け巻取器において、
上記釣針係止部は上記巻取器本体の他方の面に貼り付けられた軟質材であることを特徴とする釣用仕掛け巻取器。
【請求項１０】
請求項１〜請求項９の何れかに記載の釣用仕掛け巻取器において、
上記釣針係止部の外周部には釣糸を係止する釣糸係止用切欠部が設けられていることを特徴とする釣用仕掛け巻取器。
【請求項１１】
請求項１〜請求項１０の何れかに記載の釣用仕掛け巻取器において、
上記巻取器本体は略平板形状をなしていて、その一端には把持部が設けられていることを特徴とする釣用仕掛け巻取器。
【請求項１２】
請求項１〜請求項１１の何れかに記載の釣用仕掛け巻取器において、
上記幹糸巻取部は略円筒形状をなしていて、その円筒面に略Ｖ字形状の巻取凹部を備えた形状になっていることを特徴とする釣用仕掛け巻取器。
【請求項１３】
請求項１〜請求項１２の何れかに記載の釣用仕掛け巻取器において、
上記幹糸巻取部の少なくとも１つが移動可能であることを特徴とする釣用仕掛け巻取器。
【請求項１４】
請求項１〜請求項１３の何れかに記載の釣用仕掛け巻取器において、
上記釣針はイカヅノであることを特徴とする釣用仕掛け巻取器。
【発明の詳細な説明】
【技術分野】
【０００１】
本発明は、例えば、イカヅノ仕掛け等の釣用仕掛けを巻き取って保持する釣用仕掛け巻取器に係り、特に、大型化を来すことなく、複数個の針やイカヅノ等の疑似餌を整列・保持でき、且つ、釣用仕掛けの幹糸の緩みに起因した絡みを防止することができるように工夫したものに関する。
【背景技術】
【０００２】
従来の釣用仕掛け巻取器を開示するものとして、例えば、特許文献１、特許文献２がある。
まず、特許文献１に記載された考案による「釣仕掛包装用台紙」は概略次のような構成になっている。まず、台紙があり、この台紙の一方の面には、釣仕掛け部の釣針を掛ける針掛け部と、釣糸を巻回させる複数個のガイド板と、が設置されている。上記針掛け部に釣針が掛止され、上記複数個のガイド板に道糸が巻回される。
【０００３】
また、特許文献２に記載された考案による「イカヅノ仕掛け巻き器」は概略次のような構成になっている。まず、基板があり、この基板の表側には複数の短冊片が円形に配置されている。また、上記基板の裏側には軟質材が貼り付けられていている。上記軟質材に釣仕掛のイカヅノが係止され、上記複数の短冊片に上記釣仕掛のミキ糸が巻回される。
【先行技術文献】
【特許文献】
【０００４】
【特許文献１】実用新案登録第３００７３７７号公報
【特許文献２】実用新案登録第３０７９５２１号公報
【発明の概要】
【発明が解決しようとする課題】
【０００５】
上記従来の構成によると、次のような問題があった。
すなわち、特許文献１に記載された考案の場合には、台紙の一方の面に釣仕掛の釣針を掛ける針掛け部と道糸を巻回させる複数個のガイド板が設置されているので、台紙が大きくなってしまうという問題があった。
また、釣針が小さい場合は問題ないが、例えば、イカヅノのように長い疑似餌の場合には、それを針掛け部に掛けた場合上記ガイド板と干渉してしまい、使用することができないという問題があった。
【０００６】
また、特許文献２に記載された考案の場合には、基板の表側に複数個の短冊片を円形に配置してミキ糸を巻回させ、裏側に軟質材を貼り付けてイカヅノを係止させるようにしているので、上記特許文献１に記載された考案のような問題、すなわち、基板の大型化、イカヅノと短冊片の干渉という問題は解消されるが、ミキ糸の緩み、それに起因したイカヅノ仕掛けの絡みという問題があった。
すなわち、ミキ糸は基板と短冊片の間に形成された空間に単純に巻き取られているだけであり、ミキ糸に僅かな緩みがあれば簡単に外れてしまい、イカヅノ仕掛けの絡みの原因になってしまう。
特に、イカヅノが取り付けられているピッチは様々であり、イカヅノを裏側に整然と係止させようとすると、表側の複数個の短冊片に巻き取られるミキ糸に緩みが発生し易かった。
【０００７】
本発明はこのような点に基づいてなされたものでその目的とするところは、大型化を来すことなく、複数個の針やイカヅノ等の疑似餌を整列・保持でき、且つ、釣用仕掛けの幹糸の緩みに起因した絡みを防止することができる釣用仕掛け巻取器を提供することにある。
【課題を解決するための手段】
【０００８】
上記目的を達成するべく本願発明の請求項１による釣用仕掛け巻取器は、巻取器本体と、上記巻取器本体の一方の面に設けられ釣用仕掛けの幹糸が巻き取られる巻取凹部を有する複数個の幹糸巻取部と、上記巻取器本体の他方の面に設けられ上記釣用仕掛けの釣針が係止される釣針係止部と、を具備したことを特徴とするものである。
又、請求項２による釣用仕掛け巻取器は、請求項１記載の釣用仕掛け巻取器において、上記巻取凹部には巻き取った幹糸を保持する保持ブラシが設置されていることを特徴とするものである。
又、請求項３による釣用仕掛け巻取器は、請求項２記載の釣用仕掛け巻取器において、上記保持ブラシは上記巻取凹部の深さ方向所定領域に設けられていることを特徴とするものである。
又、請求項４による釣用仕掛け巻取器は、請求項２又は請求項３記載の釣用仕掛け巻取器において、上記保持ブラシは上記巻取凹部の深さ方向全領域に設けられていることを特徴とするものである。
又、請求項５による釣用仕掛け巻取器は、請求項２〜請求項４の何れかに記載の釣用仕掛け巻取器において、上記保持ブラシは上記巻取凹部の両内側面側から中央に向けて張り出されていることを特徴とするものである。
又、請求項６による釣用仕掛け巻取器は、請求項５記載の釣用仕掛け巻取器において、上記保持ブラシは上記巻取凹部の両内側面側から中央に向けて真っ直ぐに張り出されていることを特徴とするものである。
又、請求項７による釣用仕掛け巻取器は、請求項２〜請求項６の何れかに記載の釣用仕掛け巻取器において、上記保持ブラシは周方向等間隔の複数箇所に設けられていることを特徴とするものである。
又、請求項８による釣用仕掛け巻取器は、請求項５〜請求項７の何れかに記載の釣用仕掛け巻取器において、上記巻取凹部の一方の内側面の上記保持ブラシは上記巻取凹部の他方の内側面の上記保持ブラシに対して周方向にオフセットされて設けられていることを特徴とするものである。
又、請求項９による釣用仕掛け巻取器は、請求項１〜請求項８の何れかに記載の釣用仕掛け巻取器において、上記釣針係止部は上記巻取器本体の他方の面に貼り付けられた軟質材であることを特徴とするものである。
又、請求項１０による釣用仕掛け巻取器は、請求項１〜請求項９の何れかに記載の釣用仕掛け巻取器において、上記釣針係止部の外周部には釣糸を係止する釣糸係止用切欠部が設けられていることを特徴とするものである。
又、請求項１１による釣用仕掛け巻取器は、請求項１〜請求項１０の何れかに記載の釣用仕掛け巻取器において、上記巻取器本体は略平板形状をなしていて、その一端には把持部が設けられていることを特徴とするものである。
又、請求項１２による釣用仕掛け巻取器は、請求項１〜請求項１１の何れかに記載の釣用仕掛け巻取器において、上記幹糸巻取部は略円筒形状をなしていて、その円筒面に略Ｖ字形状の巻取凹部を備えた形状になっていることを特徴とするものである。
又、請求項１３による釣用仕掛け巻取器は、請求項１〜請求項１２の何れかに記載の釣用仕掛け巻取器において、上記幹糸巻取部の少なくとも１つが移動可能であることを特徴とするものである。
又、請求項１４による釣用仕掛け巻取器は、請求項１〜請求項１３の何れかに記載の釣用仕掛け巻取器において、上記釣針はイカヅノであることを特徴とするものである。
【発明の効果】
【０００９】
以上述べたように本願発明の請求項１による釣用仕掛け巻取器によると、巻取器本体と、上記巻取器本体の一方の面に設けられ釣用仕掛けの幹糸が巻き取られる巻取凹部を有する複数個の幹糸巻取部と、上記巻取器本体の他方の面に設けられ上記釣用仕掛けの釣針が係止される釣針係止部と、を具備したので、上記幹糸巻取部と上記釣針係止部を異なる側に設けることで上記釣用仕掛け巻取器が大型化しないように構成することができる。
又、請求項２による釣用仕掛け巻取器によると、請求項１記載の釣用仕掛け巻取器において、上記巻取凹部には巻き取った幹糸を保持する保持ブラシが設置されているので、釣り用仕掛けを緩く巻き取った状態で上記保持ブラシに保持させることができ、上記針係止部に整列した状態で上記針を保持させるために、上記複数の巻取部に様々な順番や組み合わせで上記釣用仕掛けを巻き取って調整しても、上記巻取部から容易に上記釣用仕掛けを取り外すことができる。また、上記保持ブラシで保持することで、上記幹糸の緩みに起因した絡みを防止することができる。
又、請求項３による釣用仕掛け巻取器によると、請求項２記載の釣用仕掛け巻取器において、上記保持ブラシは上記巻取凹部の深さ方向所定領域に設けられているので、上記釣用仕掛けの巻き取り時の緩さ加減に関係なく確実に保持させることができる。
又、請求項４による釣用仕掛け巻取器によると、請求項２又は請求項３記載の釣用仕掛け巻取器において、上記保持ブラシは上記巻取凹部の深さ方向全領域に設けられているので、上記釣用仕掛けの巻き取り時の緩さ加減に関係なくより確実に保持させることができる。
又、請求項５による釣用仕掛け巻取器によると、請求項２〜請求項４の何れかに記載の釣用仕掛け巻取器において、上記保持ブラシは上記巻取凹部の両内側面側から中央に向けて張り出されているので、上記釣用仕掛けの巻き取り・繰り出しが容易である。
又、請求項６による釣用仕掛け巻取器によると、請求項５記載の釣用仕掛け巻取器において、上記保持ブラシは上記巻取凹部の両内側面側から中央に向けて真っ直ぐに張り出されているので、上記保持ブラシの巻き取り・繰り出しがさらに容易となる。
又、請求項７による釣用仕掛け巻取器によると、請求項２〜請求項６の何れかに記載の釣用仕掛け巻取器において、上記保持ブラシは周方向等間隔の複数箇所に設けられているので、上記釣用仕掛けを緩く巻き取った状態で確実に保持することができる。
又、請求項８による釣用仕掛け巻取器によると、請求項５〜請求項７の何れかに記載の釣用仕掛け巻取器において、上記巻取凹部の一方の内側面の上記保持ブラシは上記巻取凹部の他方の内側面の上記保持ブラシに対して周方向にオフセットされて設けられているので、上記一方の内側面の保持ブラシと上記他方の内側面の保持ブラシとが重なり合う部分が少なく、上記釣用仕掛けの巻き取り・繰り出しが容易である。
又、請求項９による釣用仕掛け巻取器は、請求項１〜請求項８の何れかに記載の釣用仕掛け巻取器において、上記釣針係止部は上記巻取器本体の他方の面に貼り付けられた軟質材であるので、容易に上記針を保持させることができる。
又、請求項１０による釣用仕掛け巻取器は、請求項１〜請求項９の何れかに記載の釣用仕掛け巻取器において、上記釣針係止部の外周部には釣糸を係止する釣糸係止用切欠部が設けられているので、上記釣糸の緩みを確実に防止できる。
又、請求項１１による釣用仕掛け巻取器は、請求項１〜請求項１０の何れかに記載の釣用仕掛け巻取器において、上記巻取器本体は略平板形状をなしていて、その一端には把持部が設けられているので、使用者が上記把持部を把持することで容易に作業を行うことができる。
又、請求項１２による釣用仕掛け巻取器は、請求項１〜請求項１１の何れかに記載の釣用仕掛け巻取器において、上記幹糸巻取部は略円筒形状をなしていて、その円筒面に略Ｖ字形状の巻取凹部を備えた形状になっているので、容易に巻き取り・繰り出しを行うことができる。
又、請求項１３による釣用仕掛け巻取器は、請求項１〜請求項１２の何れかに記載の釣用仕掛け巻取器において、上記幹糸巻取部の少なくとも１つが移動可能であるので、上記針係止部に整列した状態で上記針を保持させるために、上記複数の巻取部に様々な順番や組み合わせで上記釣用仕掛けを巻き取って調整することが容易となる。
又、請求項１４による釣用仕掛け巻取器は、請求項１〜請求項１３の何れかに記載の釣用仕掛け巻取器において、上記釣針はイカヅノであるので、上記イカヅノを容易に整列した状態で保持でき、且つ、釣糸の緩みに起因した絡みを防止できる。
【図面の簡単な説明】
【００１０】
【図１】本発明の第１の実施の形態を示す図で、釣用仕掛け巻取器の斜視図である。
【図２】本発明の第１の実施の形態を示す図で、釣用仕掛けを巻き取った状態の釣用仕掛け巻取器の平面図である。
【図３】本発明の第１の実施の形態を示す図で、釣用仕掛けを巻き取った状態の釣用仕掛け巻取器の底面図である。
【図４】本発明の第１の実施の形態を示す図で、釣用仕掛け巻取器の正面図である。
【図５】本発明の第１の実施の形態を示す図で、図４のＶ部の拡大図である。
【図６】本発明の第１の実施の形態の説明に使用した図で、釣り具全体の構成を示す正面図である。
【図７】本発明の第１の実施の形態を示す図で、釣用仕掛けを巻き取った状態の幹糸巻取部の一部正面図である。
【図８】本発明の第２の実施の形態を示す図で、釣用仕掛け巻取器の斜視図である。
【図９】本発明の第２の実施の形態を示す図で、図９（ａ）は釣用仕掛け巻取器の平面図、図９（ｂ）は釣用仕掛け巻取器の正面図である。
【図１０】本発明の第３の実施の形態を示す図で、釣用仕掛け巻取器の一部正面図である。
【図１１】本発明の第４の実施の形態を示す図で、釣用仕掛け巻取器の斜視図である。
【図１２】本発明の第４の実施の形態を示す図で、図１２（ａ）は図１１のＸＩＩ−ＸＩＩ断面図、図１２（ｂ）は図１２（ａ）のＸＩＩｂ部分の拡大図である。
【図１３】本発明の第４の実施の形態を示す図で、図１３（ａ）は図１１のＸＩＩＩ−ＸＩＩＩ断面図、図１３（ｂ）は図１３（ａ）のＸＩＩＩｂ部分の拡大図である。
【図１４】本発明の第５の実施の形態を示す図で、釣用仕掛け巻取器の斜視図である。
【図１５】本発明の第６の実施の形態を示す図で、釣用仕掛け巻取器の斜視図である。
【図１６】本発明の第７の実施の形態を示す図で、釣用仕掛け巻取器の斜視図である。
【発明を実施するための形態】
【００１１】
以下、図１乃至図７を参照して本発明の第１の実施の形態について説明する。この第１の実施の形態による釣用仕掛け巻取器１は、次のような構成となっている。まず、巻取器本体３があり、この巻取器本体３には、図１乃至図４に示すように、把持部５が形成されている。使用者は、上記釣用仕掛け巻取器１を使用する際、この把持部５を、例えば、右利きの使用者であれば左手６で把持する。
【００１２】
また、図１、図２に示すように、上記巻取器本体３の一方の面（表面）には複数個の幹糸巻取部１１が設置されている。上記幹糸巻取部１１は、環状溝である巻取凹部１３が形成された幹糸巻取部本体１５と、上記巻取凹部１３の両内側面のそれぞれに４箇所ずつ周方向に等間隔で設置された保持ブラシ１７と、から構成されている。上記保持ブラシ１７は、図５に示すように、複数のブラシ毛１９を上記幹糸巻取部本体１５に形成された植毛用溝２１に挿入し、接着剤２３で固めた構成になっている。また、上記ブラシ毛１９は、上記巻取凹部１３の深さ方向全域に設けられている。
【００１３】
また、図１乃至図３に示すように、上記巻取器本体３の他方の面（裏面）には釣針係止部７が設置されている。この釣針係止部７は、例えば、発泡ウレタン等の多孔質材料や、フエルトのような軟質材から構成されている。上記釣針係止部７の外周縁には、複数個の幹糸係止用切欠部９が形成されている。
【００１４】
ところで、上記釣用仕掛け巻取器１に巻き取られる釣用仕掛け３１は、例えば、図６に示すような釣具３３に取り付けられて使用される。上記釣具３３は、釣竿３５と、この釣竿３５の基端側（図６中右下側）に着脱可能に取り付けられたリール３７と、から構成されている。上記釣竿３５には長さ方向に沿って複数個（この実施の形態の場合は６個）のリング状のガイド３９が設置されている。上記リール３７には道糸４１が巻き取られており、この道糸４１は上記リール３７から上記複数個のガイド３９を通して上記釣竿３５の先端側に繰り出されている。上記道糸３７は、例えば、樹脂製（いわゆるテグス）である。
【００１５】
上記釣用仕掛け３１には、まず、幹糸４３があり、この幹糸４３の基端側（図６中上側）にはサルカン４５が連結されている。上記サルカン４５の一方のリング４７には上記幹糸４３が連結され、上記サルカン４５の他方のリング４９には上記道糸３７の先端側が連結され、上記サルカン４５を介して上記道糸３７と上記釣用仕掛け３１が連結されている。
【００１６】
上記幹糸４３には、複数本のハリス５１が連結されていて、このハリス５１の先端側にはイカヅノ５３が連結されている。上記イカヅノ５３は、イカヅノ本体５５と、このイカヅノ本体５５の先端側に設置された複数本の釣針５７と、から構成されている。
上記ハリス５１の長さは様々であるが、例えば、１０ｃｍ〜６０ｃｍ程度である。また、上記ハリス５１の分岐箇所と隣接するハリス５１の分岐箇所の間の上記幹糸４３の長さも様々であるが、例えば、１００ｃｍ〜２５０ｃｍ程度である。また、上記イカヅノ５３の長さも様々であり、例えば、１０ｃｍ〜２０ｃｍ程度である。
なお、上記幹糸４３とハリス５１も、例えば、樹脂製（いわゆるテグス）である。
【００１７】
また、上記幹糸４３の先端側（図６中下側）にも、サルカン５９が連結されている。このサルカン５９の一方のリング６１には上記幹糸４３の先端側が連結されていて、他方のリング６３にはサルカン６５を介して錘６７が連結されている。上記サルカン６５にはフック６９、７１があり、一方のフック６９を上記サルカン５９のリング６３に係合させ、他方のフック７１を上記錘６７のリング７３に係合させることで、上記釣用仕掛け３１と上記錘６７が連結されている。
【００１８】
以上の構成を基にその作用を説明する。
まず、上記釣用仕掛け３１を上記釣用仕掛け巻取器１に巻き取る場合には、例えば、左手６で把持部５を把持して図示しない右手で釣用仕掛け３１を巻き取っていく。図２に示すように、上記釣用仕掛け３１から錘６７を取り外し（錘６７を付けたままで行う場合もある。）、サルカン５９とサルカン６５を上記釣針係止部７の釣糸係止用切欠部９に係止させる。
次いで、幹糸４３を上記針係止部７の幹糸係止用切欠部９に引っ掛けて表側に引き出す。そして、図２及び図７に示すように、上記幹糸４３を複数個の幹糸巻取部１１に緩く巻き付けていく。巻き取られた幹糸４３は、図７に示すように、上記幹糸巻取部１１の保持ブラシ１７、１７のブラシ毛１９、１９の間又は何れかのブラシ毛１９の中に保持される。
イカヅノ５３は、ハリス５１を上記幹糸係止用切欠部９に引っ掛け、図３に示すように、上記釣針係止部７側に配置して、上記釣針係止部７に釣針５７を係止させて固定する。その際、図３に示すように、イカヅノ５３を整列させた状態で係止させて固定する。そのために、上記釣用仕掛け３１の幹糸４３を複数設置された上記幹糸巻取部１１の内の何れの幹糸巻取部１１に巻き付けるかを選択し、ハリス５１の基端側の位置を調製する。
最後に、サルカン４５側の幹糸４３を上記幹糸係止用切欠部９に引っ掛け、図３に示すように、上記釣針係止部７側に配置する。
【００１９】
巻取作業に関して説明を補充する。
例えば、ある種の釣用仕掛け３１を巻き取っているときには、ハリス５１と隣接するハリス５１との間の幹糸４３を、外周に配置された４個の幹糸巻取部１１に巻き取っていくことにより、ハリス５１とイカヅノ５３が丁度良い場所にきて、ハリス５１を幹糸係止用切欠部９に引っ掛けるとともにイカヅノ５３を所定位置に整列・保持することができる。これに対して、釣用仕掛け３１の種類が変わると、ハリス５１の分岐箇所と隣接するハリスの分岐箇所との間の間隔が変わることがある。この場合には、ハリス５１と隣接するハリス５１との間の幹糸４３を、外周に配置された３個の幹糸巻取部１１に巻き取っていくことにより、ハリス５１とイカヅノ５３が丁度良い場所にきて、ハリス５１を幹糸係止用切欠部９に引っ掛けるとともにイカヅノ５３を所定位置に整列・保持することができる場合がある。
このように、釣用仕掛け３１種類によってハリス５１の分岐箇所と隣接するハリスの分岐箇所との間の間隔が変わることがあるので、そのような場合には幹糸４３を巻き取る幹糸巻取部１１の場所と個数を任意に選択して巻き取ることになる。
【００２０】
なお、サルカン４５とハリス５１の分岐箇所までの距離、ハリス５１の分岐箇所と隣接するハリス５１の分岐箇所までの距離、サルカン５９とハリス５１の分岐箇所までの距離、は一致しない場合があるので、その場合には、サルカン４５とハリス５１の分岐箇所までの幹糸４３を巻き取る場合、ハリス５１の分岐箇所と隣接するハリス５１の分岐箇所までの幹糸４３を巻き取る場合、サルカン５９とハリス５１の分岐箇所までの幹糸４３を巻き取る場合、のそれぞれにおいて、巻き取る幹糸巻取部１１の場所と個数を任意に選択して巻き取ることになる。
【００２１】
次に、上記釣用仕掛け巻取器１に巻き取られた釣用仕掛け３１を繰り出す場合について説明する。この場合には上記サルカン４５を把持して巻き取られている上記釣用仕掛け３１を巻き取る時とは逆の手順で繰り出していくだけでよい。すなわち、上記幹糸４３はブラシ毛１９、１９の間又は何れかのブラシ毛１９の中に緩く巻き取られた状態で保持されているので、容易に繰り出される。
【００２２】
次に、この第１の実施の形態による効果について説明する。
まず、釣用仕掛け巻取器１の大型化を来すことなく、複数個のイカヅノ５３を整列・保持でき、且つ、幹糸４３やハリス５１の緩みに起因した絡みを防止することができる。以下、詳しく説明する。
例えば、図１に示すように、巻取器本体３の表面側（図１中上側）に幹糸巻取部１１が設置されていて、上記巻取器本体３の裏面側（図１中下側）に釣針係止部７が設置されていて、両面を有効に使用する構成になっているで、上記釣用仕掛け巻取器１の小型化を図ることができる。
また、釣用仕掛け３１の幹糸４３を幹糸巻取部１１に緩く巻き取ると、図７に示すように、上記幹糸４３は上記保持ブラシ１７、１７のブラシ毛１９、１９の間又は何れかのブラシ毛１９の中に保持されるので、幹糸４３が緩んで幹糸巻取部１１から不用意に外れるようなことはなく、幹糸４３の緩み、それに起因した絡みを防止することができる。
また、イカヅノ５３は裏側の釣針係止部７に整列されているので、表側の複数の幹糸巻取部１１に巻き取られている幹糸４３を巻き取る或いは繰り出す際に、上記イカヅノ５３が障害になることはない。それによっても、絡みを防止することができる。
【００２３】
また、ブラシ毛１９は、上記幹糸巻取部１１の巻取凹部１３の深さ方向全域に設けられているので、巻取時の幹糸の緩さかげんにかかわらず上記釣用仕掛け３１を確実に保持することができる。
また、上記保持ブラシ１７、１７のブラシ毛１９、１９は上記巻取凹部１３の両内側面側のそれぞれから中央に向けて真っ直ぐに張り出されていて、幹糸４３はそれら両ブラシ毛１９、１９の間に略巻き取られているので、上記幹糸４３の巻き取り時・繰り出し時の抵抗も小さく作業が容易である。
【００２４】
また、上記保持ブラシ１７、１７の組は、図１、図４、図５に示すように、上記幹糸巻取部１１の巻取凹部１３内に周方向等間隔で４箇所に設置されているので、上記幹糸４３を緩く巻き取った状態で確実に保持することができる。
【００２５】
また、上記釣針係止部７の外周側には幹糸係止用切欠部９が形成されていて、上記ハリス５１が引っ掛けられているので、仮に、イカヅノ５３が釣針係止部７から外れても、上記イカヅノ５３が脱落するようなことはない。
また、サルカン５９とサルカン６５を上記釣針係止部７側に配置させ、その後、幹糸４３を上記釣針係止部７の幹糸係止用切欠部９に引っ掛け、表側に引き出すようにすることで、上記幹糸４３の緩みを防止することができる。
また、把持部５が設けられているので、巻き取り・繰り出し作業を容易に行うことができる。
また、釣針係止部７は、例えば、発泡ウレタン等の多孔質材料や、フエルトのような厚手の布であるため、上記イカヅノ５３を容易に保持させることができる。
【００２６】
次に、図８及び図９を参照して本発明の第２の実施の形態による釣用仕掛け巻取器１０１について説明する。図８及び図９に示すように、巻取器本体１０３があり、この巻取器本体１０３は、中央の低背の円柱形状の心材１０５と、この心材１０５の図９（ｂ）中上側に固着された円板状の幹糸巻取部設置部１０７と、上記心材１０５の図９（ｂ）中下側に固着された円板状の釣針係止部１０９と、から構成されている。上記幹糸巻取部設置部１０７の外周縁には複数個の釣糸係止用切欠部１１１が形成されていて、上記釣針係止部１０９の外周縁にも複数個の釣糸係止用切欠部１１１が形成されている。また、上記釣針係止部１０９は、前記第１の実施の形態の釣針係止部７と同様、例えば、発泡ウレタン等の多孔質材料や、フエルトのような軟質材から構成されている。また、上記巻取器本体１０３の中央には貫通孔１１３が形成されている。
【００２７】
例えば、図８に示すように、上記幹糸巻取部設置部１０７の表面（図８中上側の面）には、複数個（この実施の形態の場合には９個）の幹糸巻取部１１が設置されている。これら幹糸巻取部１１は前記第１の実施の形態における幹糸巻取部１１と同じもので、上記幹糸巻取部設置部１０７の表面（図８中上側の面）の外周側に６個の幹糸巻取部１１が周方向に等間隔で配置されていて、その内側には３個の幹糸巻取部１１が正三角形状に配置されている。
なお、その他の構成は前記第１の実施の形態と同じであり、図中同一部分には同一符号を付して示しその説明を省略する。
【００２８】
この第２の実施の形態の場合も、前記第１の実施の形態の場合と同様の作用・効果を奏することができるとともに、幹糸巻取部１１の個数が多い分だけ幹糸４３の巻取量の調整が容易になる。
【００２９】
次に、図１０を参照して本発明の第３の実施の形態を説明する。前記第１、第２の実施の形態の場合には、幹糸巻取部を構成する一対の保持ブラシを周方向の同じ位置に対向・配置させたが、この第３の実施の形態の場合には一対の保持ブラシを周方向にオフセットさせた状態で配置するようにしている。すなわち、図１０に示すように、本実施の形態による幹糸巻取部２０１は、図１０中下側の保持ブラシ１７に対して、図１０中上側の保持ブラシ１７が周方向にオフセットされている。
なお、その他の構成は前記第１の実施の形態或いは第２の実施の形態の場合と同じであり、図中同一部分には同一符号を付して示しその説明を省略する。
【００３０】
この第３の実施の形態の場合も、前記第１の実施の形態或いは第２の実施の形態の場合と同様の作用・効果を奏するほか、図１０中下側の保持ブラシ１７と図１０中上側の保持ブラシ１７が周方向にオフセットされているので、幹糸４３の巻き取りや繰り出しをより円滑に行うことができる。
【００３１】
次に、図１１乃至図１３を参照して本発明の第４の実施の形態を説明する。前記第１、第２の実施の形態の場合には、幹糸巻取部の位置を固定としたが、この第４の実施の形態による釣用仕掛け巻取器３０１は、一部の幹糸巻取部３０３を移動可能に構成している。以下、詳細に説明する。
【００３２】
上記釣用仕掛け巻取器３０１には巻取器本体３０５がある。上記巻取器本体３０５には、図１２及び図１３に示すように、ガイド用凹部３０７、３０７が図１２中紙面垂直方向に所定の範囲で延長・形成されている。ガイド用凹部３０７は上記巻取器本体３０５の図１２（ｂ）中上側に開口されている。上記巻取器本体３０５には、上記ガイド用凹部３０７と段違いで蓋収容部３０９が形成されている。
【００３３】
上記ガイド用凹部３０７内には、略四角形の板状のガイドブロック３１１が上記ガイド用凹部３０７に沿って移動可能に設置されている。上記ガイドブロック３１１の中央には図１２（ｂ）中上下方向に延長された雌ネジ部３１３が形成されている。
【００３４】
また、上記蓋収容部３０９には蓋３１５が設置されている。この蓋３１５は、例えば、接着剤によって固定されている。
上記蓋３１５には、スリット３１７、３１７が形成されている。また、図１１及び図１３に示すように、上記蓋３１５の表側の面（図１３（ｂ）中上側の面）には、複数個の蓋側ラック歯３１９が図１３（ｂ）中紙面垂直方向に延長・形成されている。
【００３５】
上記幹糸巻取部３０３の中央には、固定ネジ用貫通孔３３１が図１３（ｂ）中上下方向に延長・形成されている。この固定ネジ用貫通孔３３１は、図１３（ｂ）中上側の拡径された固定ネジ頭部収容部３３３と、それ以外の部分である固定ネジ軸収容部３３５と、から構成されている。
また、上記幹糸巻取部３０３の図１３（ｂ）中下側には、複数の巻取部側ラック歯３３７が形成されている。
上記固定ネジ用貫通孔３３１内には、幹糸巻取部固定ネジ３４１が収容・配置されている。上記幹糸巻取部固定ネジ３４１は頭部３４３と雄ネジ部３４５とから構成されている。上記頭部３４３は上記固定ネジ頭部収容部３３３内に収容・配置されていて、この頭部３４３には、図示しない治具を用いて上記幹糸巻取部固定ネジ３４１を回転させるための冶具用凹部３４７が形成されている。上記雄ネジ部３４５は、上記固定ネジ軸収容部３３５と上記スリット３１７を通って上記ガイドブロック３１１の雌ネジ部３１３に螺合されている。
【００３６】
上記幹糸巻取部固定ネジ３４１を締め付けることで、上記ガイドブロック３１１が図１２（ｂ）中上側に移動していき、それによって、上記幹糸巻取部３０３が蓋３１５側（図１２（ｂ）中上側）に押圧・付勢される。このとき、上記蓋３１５の蓋側ラック歯３１９と上記幹糸巻取部３０３の巻取部側ラック歯３３７とが噛合し、上記幹糸巻取部３０３の移動が規制される。逆に、上記幹糸巻取部固定ネジ３４１を緩めることで、上記幹糸巻取部３０３の蓋３１５に対する押圧・付勢が解除され、上記幹糸巻取部３０３の移動が許容される。
【００３７】
この第４の実施の形態の場合も、前記第１の実施の形態の場合の作用・効果と同様の作用・効果を奏することができ、さらに、次のような作用・効果を奏する。
すなわち、幹糸巻取部３０３の位置を適宜調整することにより、イカヅノ５３を釣針係止部７に整列させるための幹糸４３の巻取量の調整がさらに容易になる。
なお、上記幹糸巻取部３０３の位置については、予め決めておく場合と、巻取作業を行いながら決める場合がある。巻取作業を行いながら位置決めする場合には、例えば、幹糸巻取部固定ネジ３４１による締め付け量を調整して幹糸巻取部３０３が適度に移動できる程度の強さで固定しておく。その他、使い方は任意である。
【００３８】
次に、図１４を参照して本発明の第５の実施の形態を説明する。
前記第１の実施の形態による釣用仕掛け巻取器１の場合には、幹糸巻取部１１に保持ブラシ１７、１７が設けられていたが（図１に示す）、この実施の形態による釣用仕掛け巻取器４０１の場合には、保持ブラシが設けられていない幹糸巻取部４０３を採用している。
なお、その他の構成は前記第１の実施の形態と同じであり、図中同一部分には同一符号を付して示しその説明を省略する。
【００３９】
この第５の実施の形態の場合も、前記第１の実施の形態の場合と略同様の作用効果を奏する。また、保持ブラシが設けられていない分構成が簡単である。
ただし、保持ブラシ１７は設置されていないため、上記保持ブラシ１７による作用・効果は奏さない。
【００４０】
次に、図１５を参照して本発明の第６の実施の形態を説明する。
前記第２の実施の形態による釣用仕掛け巻取器１０１の場合には、幹糸巻取部１１に保持ブラシ１７、１７が設けられていたが（図８に示す）、この実施の形態による釣用仕掛け巻取器５０１の場合には、保持ブラシが設けられていない幹糸巻取部４０３を採用している。
なお、その他の構成は前記第２の実施の形態と同じであり、図中同一部分には同一符号を付して示しその説明を省略する。
【００４１】
この第６の実施の形態の場合も、前記第２の実施の形態の場合と略同様の作用効果を奏する。また、保持ブラシが設けられていない分構成が簡単である。
ただし、保持ブラシ１７は設置されていないため、上記保持ブラシ１７による作用・効果は奏さない。
【００４２】
次に、図１６を参照して本発明の第７の実施の形態を説明する。
前記第４の実施の形態による釣用仕掛け巻取器３０１の場合には、幹糸巻取部１１、３０３に保持ブラシ１７、１７が設けられていたが（図１１に示す）、この実施の形態による釣用仕掛け巻取器６０１の場合には、保持ブラシが設けられていない幹糸巻取部４０３、６０３を採用している。
なお、その他の構成は前記第４の実施の形態と同じであり、図中同一部分には同一符号を付して示しその説明を省略する。
【００４３】
この第７の実施の形態の場合も、前記第４の実施の形態の場合と略同様の作用効果を奏する。また、保持ブラシが設けられていない分構成が簡単である。
ただし、保持ブラシ１７は設置されていないため、上記保持ブラシ１７による作用・効果は奏さない。
【００４４】
尚、本発明は、前記第１〜第７の実施の形態に限定されるものではない。
まず、前記第１、第２の実施の形態の場合には、一対の保持ブラシを周方向４箇所に等間隔に配置したが、それに限定されるものではなく、その個数、場所については様々な場合が考えられる。
また、前記第２の実施の形態の場合には、一対の保持ブラシを周方向に完全にオフセットさせて配置したが、その一部が重合するような状態でオフセットさせる構成も考えられる。
また、前記第１、第２の実施の形態の場合には、一対の保持ブラシのブラシ毛の先端が当接する程度の長さに設定されているが、互いに少しだけ入り込むようにする場合も考えられる。
また、前記第１、第２の実施の形態の場合には、幹糸巻取部の巻取凹部が略Ｕ字形状をなしているが、例えば、略Ｖ字形状とすることも考えられる。この場合は、上記巻取凹部の開口された側が拡幅されているので間口が広くなっており、幹糸の巻き取り・繰り出しが容易となる。
また、前記第１、第２の実施の形態の場合には、一対の保持ブラシを対向・配置させたが、片側にのみ保持ブラシを配置し、ブラシ毛の先端が巻取凹部の内面に接触するように設置し、上記ブラシ毛と上記巻取凹部の内面によって幹糸を保持するようにしてもよい。
また、前記第１、第２の実施の形態の場合には、釣針係止部材の材質として、発泡ウレタン等の多孔質材料や、フエルト等の軟質材としたが、他にも、軟質のゴム製等、様々な場合が考えられる。
また、前記第１、第２の実施の形態の場合には、釣用仕掛けとしてイカヅノ仕掛けを例として挙げたが、他の疑似餌を取り付けたものや、釣針だけを取り付けたものなど、様々な種類が考えられる。
また、第４の実施の形態では４個の幹糸巻取部を移動可能としたが、それに限定されるものではなく、任意の幹糸巻取部を移動可能にすることが考えられる。
その他、図示した構成はあくまで一例である。
【産業上の利用可能性】
【００４５】
本発明は釣用仕掛けを巻き取って保持する釣用仕掛け巻取器に係り、特に、大型化を来すことなく、複数個の針やイカヅノ等の疑似餌を整列・保持でき、且つ、釣用仕掛けの幹糸の緩みに起因した絡みを防止することができるように工夫したものに関し、例えば、イカヅノ仕掛けを保持するのに好適である。
【符号の説明】
【００４６】
１  釣用仕掛け巻取器
３  巻取器本体
５  把持部
７  釣針係止部
９  釣糸係止用切欠部
１１  幹糸巻取部
１３  巻取凹部
１７  保持ブラシ
３１  釣用仕掛け
４３  幹糸
５３  イカヅノ
１０１  釣用仕掛け巻取器
１０３  巻取器本体
１０９  釣針係止部
２０１  幹糸巻取部
３０１  釣用仕掛け巻取器
３０３  幹糸巻取部
３０５  巻取器本体
４０１  釣用仕掛け巻取器
４０３  幹糸巻取部
５０１  釣用仕掛け巻取器
６０１  釣用仕掛け巻取器
６０３  幹糸巻取部
【図１】
2020089346.tif 000003
【図２】
2020089346.tif 000004
【図３】
2020089346.tif 000005
【図４】
2020089346.tif 000006
【図５】
2020089346.tif 000007
【図６】
2020089346.tif 000008
【図７】
2020089346.tif 000009
【図８】
2020089346.tif 000010
【図９】
2020089346.tif 000011
【図１０】
2020089346.tif 000012
【図１１】
2020089346.tif 000013
【図１２】
2020089346.tif 000014
【図１３】
2020089346.tif 000015
【図１４】
2020089346.tif 000016
【図１５】
2020089346.tif 000017
【図１６】
2020089346.tif 000018